(57)【特許請求の範囲】
【請求項１】
バーナの炎を囲う筒状の五徳と、バーナの炎により生じた熱気を五徳で囲われた空間から強制的に吸引排気する排気ファンとを備えるコンロであって、五徳に載置する鍋の底面の温度を検出する温度センサを備えるものにおいて、
バーナを内周に炎孔を有する内炎式リングバーナで構成すると共に、五徳を内外２重壁構造の筒状に形成し、五徳の内周壁に排気窓を開設して、五徳で囲われた空間から排気窓と五徳の２重壁間の空間とを介して熱気を吸引排気するようにし、且つ、五徳の２重壁間の空間の周方向の一部に排気窓に連通しない小室を画成し、該小室に温度センサを配置する、ことを特徴とするコンロ。
【請求項２】
五徳の外周壁の前記小室に合致する部分に外気取入孔を開設することを特徴とする請求項１に記載のコンロ。
【請求項３】
五徳と、五徳に載置する鍋の底面の温度を検出する温度センサとを備えるコンロであって、バーナとして内周に炎孔を有する内炎式リングバーナを用いるものにおいて、
五徳に、鍋の底面に当接する、バーナの炎や炎により生じた熱気が流入しない箱状部を設け、箱状部内に前記センサを配置する、
ことを特徴とするコンロ。
【発明の詳細な説明】
【０００１】
【発明の属する技術分野】
本発明は、台所等で使用するコンロに関する。
【０００２】
【従来の技術】
従来のコンロは、爪付きの五徳を用い、バーナを外周に炎孔を有する外炎式リングバーナで構成して、バーナの炎や炎により生じた熱気が五徳の爪部に載置する鍋の底面に沿って五徳の外側に自然に放出されるようにしているが、このものでは、放出された熱気の一部が鍋の取手に達してこれを加熱し、取手が持ちづらくなるといった不具合を生ずる。
【０００３】
かかる不具合を解消するため、バーナの炎を囲う筒状の五徳と、バーナの炎により生じた熱気を五徳で囲われた空間から強制的に吸引排気する排気ファンとを設け、炎や熱気が五徳の外側に漏出することを防止できるようにした炎漏出防止型コンロが考えられている。
【０００４】
【発明が解決しようとする課題】
上記の如き炎漏出防止型コンロでは、鍋の取手の加熱を防止できるものの、鍋に対する炎や熱気の接触範囲が限られるため、加熱効率が低下し勝ちである。この場合、バーナとして内周に炎孔を有する内炎式リングバーナを用いれば、五徳で囲われた空間の中央部分に炎が立昇るため、鍋底の中央部分にも炎や熱気が接触し、加熱効率が向上する。
【０００５】
ところで、鍋底の過熱を生じたときにバーナを消火すべく、鍋底の温度を検出する温度センサを設けることがある。この温度センサは、一般に、鍋底の中央部に当接するように配置されるが、バーナを上記の如く内炎式リングバーナで構成すると、炎が温度センサに近付き、温度センサが炎からの熱影響を受けて鍋底の温度を正確に検出できなくなる。
【０００６】
本発明は、以上の点に鑑み、温度センサによる鍋底温度の検出精度を確保して、且つ、加熱効率を向上し得るようにしたコンロを提供することを課題としている。
【０００７】
【課題を解決するための手段】
上記課題を解決すべく、本発明では、バーナの炎を囲う筒状の五徳と、バーナの炎により生じた熱気を五徳で囲われた空間から強制的に吸引排気する排気ファンとを備えるコンロであって、五徳に載置する鍋の底面の温度を検出する温度センサを備えるものにおいて、バーナを内周に炎孔を有する内炎式リングバーナで構成すると共に、五徳を内外２重壁構造の筒状に形成し、五徳の内周壁に排気窓を開設して、五徳で囲われた空間から排気窓と五徳の２重壁間の空間とを介して熱気を吸引排気するようにし、且つ、五徳の２重壁間の空間の周方向の一部に排気窓に連通しない小室を画成し、該小室に温度センサを配置している。
【０００８】
本発明によれば、内炎式リングバーナを用いることで上記の如く加熱効率が向上し、また、五徳が温度センサに対する炎や熱気の熱影響を遮断する遮熱部材として機能し、鍋底の温度を温度センサで正確に検出できるようになる。
【０００９】
また、五徳を内外２重壁構造の筒状に形成し、五徳の内周壁に排気窓を開設して、五徳で囲われた空間から排気窓と五徳の２重壁間の空間とを介して熱気を吸引排気するように構成しているので、五徳で囲われた空間の中央部に立昇った炎が鍋底に接触しつつ五徳に向けて径方向外方に流れ、五徳で囲われた空間のほぼ全域において炎や熱気が鍋底に接触し、加熱効率が一層向上する。
【００１０】
尚、五徳の外周壁の外側に温度センサを配置することも可能であるが、これでは鍋底が五徳の外周壁の外側に張出すような大きな鍋にしか対処できなくなり、また、体裁も悪くなるため、五徳内に温度センサを配置することが望まれる。この場合、五徳の２重壁間の空間の周方向の一部に排気窓に連通しない小室を画成し、該小室に温度センサを配置すれば、五徳内に温度センサを配置して、且つ、温度センサに対する炎や熱気の熱影響も遮断でき、有利である。但し、小室の温度が上昇してセンサの検出精度に悪影響が及ぶことを防止するため、五徳の外周壁の前記小室に合致する部分に外気取入孔を開設することが望ましい。
【００１１】
ところで、爪付き五徳のような非筒状の五徳を用いる通常のコンロにおいても、バーナとして内炎式リングバーナを用いて、加熱効率を向上させることが望まれる。この場合、五徳に、鍋の底面に当接する、バーナの炎や炎により生じた熱気が流入しない箱状部を設け、箱状部内に鍋の底面の温度を検出する温度センサを配置すれば、温度センサによる鍋底温度の検出精度を確保できる。
【００１２】
【発明の実施の形態】
図１を参照して、１はコンロ本体であり、コンロ本体１の上面には天板２が設けられている。
天板２は、外天板２０と内天板２１とで構成されており、内天板２１の上面に五徳３を載置すると共に、内天板２１の下側に有底筒状の燃焼筐４を設け、該燃焼筐４にバーナ５を収納している。
【００１３】
バーナ５は、内周に炎孔５ａを有する内炎式リングバーナで構成され、バーナ５からの炎Ｆが内天板２１の中央の開口２２を通して立昇るようにしている。尚、燃焼筐４には複数の通気孔４０が形成されており、これら通気孔４０を介して燃焼筐４内に二次空気が導入される。
【００１４】
五徳３は、バーナ５の炎Ｆを囲う、内外２重壁構造の筒状に形成されており、五徳３の内周壁に排気窓３０を開設している。また、内天板２１を上下２重壁構造として、五徳３の２重壁間の空間と内天板２１の２重壁間の空間とを内天板２１の上壁に開設した連通孔２３を介して連通させ、更に、内天板２１の２重壁間の空間を天板２の奥部に設けた排気口６ａに連通させる排気ダクト６を設け、内天板２１と排気ダクト６とで五徳３の２重壁間の空間に連通する排気通路を構成している。そして、排気ダクト６に排気ファン７を介設し、バーナ５の炎Ｆにより生じた熱気を五徳３で囲われた空間から排気窓３０と五徳３の２重壁間の空間とを介して強制的に吸引排気し得るようにしている。
【００１５】
かくて、五徳３に鍋Ｐを載置した状態において、バーナ５の炎Ｆは、五徳３で囲われる空間の中央部に立昇って五徳３に向けて径方向外方に流れ、結局、五徳３で囲われる空間のほぼ全域で鍋底に炎Ｆや熱気が接触し、加熱効率が向上する。また、五徳３の外側に炎Ｆや熱気は漏出せず、鍋Ｐの取手ＰＨが熱気で加熱されることもない。
【００１６】
五徳３の２重壁間の空間の周方向の一部には、図２に示す如く、周方向両側の仕切壁３１，３１によって画成された、排気窓３０に連通しない小室３２が設けられており、該小室３２の上壁部内面に温度センサ８を取付けて、五徳３に載置する鍋Ｐの底面の温度を温度センサ８で検出し、例えば鍋底の過熱を生じたとき温度センサ８からの信号でバーナ５を消火するようなバーナ制御をしている。この場合、五徳３で囲われる空間内の炎Ｆや熱気による温度センサ８への熱影響は五徳３の内周壁で遮断され、また、五徳３の２重壁間の空間に流れる熱気からの熱影響は仕切壁３１によって遮断される。また、五徳３の外周壁の小室３２に合致する部分に外気取入孔３３を形成して、小室３２内に五徳３の内周壁や仕切壁３１を介しての伝熱で熱が籠ることを防止しており、かくて、温度センサ８により鍋底の温度を正確に検出できる。温度センサ８としては、ワックス等の熱膨張物質を封入した熱膨張式のものやバイメタルやサーミスタや熱電対等の種々のものを用いることができる。
【００１７】
尚、本実施形態では、内天板２１の上壁に形成する連通孔２３を小室３２に合致する部分にも形成し、小室３２に外気取入孔３３から連通孔２３に向けて排気ファン７の吸引力により強制的に外気が流れるようにしているが、小室３２に合致する部分の連通孔２３を無くし、小室３２内を外気取入孔３３を介して自然換気させるようにしても良い。
【００１８】
また、本実施形態では、小室３２の上壁部内面に温度センサ８を取付けているが、小室３２の上壁部に透孔を形成し、温度センサをこの透孔を通して鍋底に当接するように配置しても良い。
【００１９】
以上、筒状の五徳３を用いる炎漏出防止型コンロに本発明を適用した実施形態について説明したが、バーナとして内炎式リングバーナを用いるコンロであって、非筒状の五徳、例えば、図３に示すような爪９ａ付きの五徳９を用いるものでは、五徳９に、一部の爪９ａに置換して、鍋Ｐの底面に当接する、バーナの炎や熱気が流入しない箱状部９ｂを設け、箱状部９ｂ内に温度センサ８を配置して、温度センサ８による鍋底温度の検出精度を確保することが望ましい。
【００２０】
ところで、上記した小室３２や箱状部９ｂを複数箇所、例えば、図３に示すように周方向一側と他側の２箇所に設け、夫々に温度センサ８を配置しても良い。この場合、複数の温度センサ８の検出温度の平均値で鍋底温度を判断するように構成すれば、鍋が偏心して置かれた場合にも対応できる。
【図面の簡単な説明】
【図１】  本発明に係るコンロの一例の截断側面図
【図２】  図１のII-II線截断面図
【図３】  (A)他の実施形態の五徳の平面図、(B)図３(A)のB-B線断面図
【符号の説明】
３  五徳                    ３０  排気窓
３２  小室                    ３３  外気取入孔
５  バーナ                  ５ａ  炎孔
７  排気ファン                ８  温度センサ
９  五徳                    ９ｂ  箱状部
【図１】
0003737184.tif 000002
【図２】
0003737184.tif 000003
【図３】
0003737184.tif 000004